Podtech/llm-jp-corpus-v4-ja_patent huggingface dataset:
(57)【要約】      （修正有）【課題】本体を輪状にできることを特徴とし、手首に簡単装着できるリストウエイトを提供する。【解決手段】リストウエイト裏面に通しカン１１を通したテープ９を取り付け、表面にそのカンに通せるマジックテープをとりつける。通しカンにマジックテープを通すことにより本体は、輪状になる。それに片手を通し、他方の手で本体の端をＡ方向に引くことにより通しカンは、テープに沿ってスライドして輪状は、小さくなる。結果的に手首を締め付けることになる。その締め付けを保持したままＢ方向に戻せば、片手でも容易、かつ、適度な締め付け具合で装着できる。よって本来の筋力トレーニングに集中することができて効果があがることが大いに期待できる。【選択図】図４
0003110233.tif 000002
【実用新案登録請求の範囲】
【請求項１】
裏面に通しカンを通したテープを取り付けたことを特徴とするリストウエイト。
【請求項２】
通しカンに通して本体を輪状にできるテープを表面に取り付けたことを特徴とした請求項１に記載したリストウエイト。
【考案の詳細な説明】
【技術分野】
【０００１】本考案は、手首や足首に巻きつけて筋力トレーニングに用いる錘に関するものである。
【背景技術】
【０００２】一般的にリストウエイトを手首や足首に装着するとき、リストウエイトの両端の表裏にマジックテープのＡ面とＢ面を取り付けて、それを接着する方法やマジックテープの一方を通しカンに通して、本体に着けた他方のマジックテープに接着する方法が公知である。【０００３】
【特許文献１】実開昭５４−１３８７６８
【考案の開示】
【考案が解決しようとする課題】
【０００４】従来の方法では、足首に装着する時は両手が使えるので問題はないが、手首に装着するときは、片手しか使えないので装着に非常に手間取り、かつ、しっかりと締め付けられず、トレーニング中リストウエイト自体が移動し、本来の筋肉トレーニングに集中できない。
【課題を解決するための手段】
【０００５】本考案は、リストウエイト本体裏面に通しカンを通したテープを取り付け、表面にそのカンに通せるマジックテープを取り付けて、本体を輪状にできることを特徴とする。
【考案の効果】
【０００６】上述のマジックテープを通しカンに通すことにより、リストウエイトは、輪状になり、容易に手を通すことができる。【０００７】リストウエイトの端を他方の手で持ち、逆方向に引くことによって通しカンは、テープに沿ってスライドして、輪状は小さくなる。結果的に手首を締め付ける。【０００８】手首を締め付けた状態を保持したまま、元の方向に戻して本体マジックテープに接着すれば容易、かつ、適度な締め付け具合で手首に装着できるので、筋力トレーニングに集中できる。
【実施例１】
【０００９】本考案のリストウエイトを図面に基ずいて詳細に説明する。【００１０】図１は、リストウエイトの表面図である。１は金属粒をウエイト素材としてビニール袋に所定の重量を入れ小分けしたものである。  ２，３は、小分けしたウエイト素材１の表裏に重ねた布。４は、２，３の外周を縫合した縁布。５は、マジックテープＢ面。７は、マジックテープＡ面。８は、７を固定させるための縫合線。１２は、ウエイト素材１が移動しないように２，３を縫合した仕切り線。【００１１】図２は、リストウエイト裏面図である。６は、マジックテープＢ面。９は、テープ。１０は、テープ９を固定するための縫合線。１１は、テープ９に通された通しカン。【００１２】図３は、マジックテープ７を通しカン９に通し、マジックテープ５に接着し、本体を輪状にした、使用のための準備完了図である。【００１３】図４は、本考案のリストウエイトの装着方法を説明する概略図である。図３で輪状にした本体に一方の手を通し、他方の手で６部分を持ちＡ方向に引くと通しカン１１は、テープ９に沿ってスライドして、輪状は、小さくなり、手首を締め付ける。締め付け具合を保持するために６部分を持った手を引き加減で弧を描きながらＢ方向へ戻し、マジックテープＡ面６をマジックテープＢ面５に接着すると完了。
【図面の簡単な説明】
【００１４】図１、本考案の一部切欠表面図。
図２、同上の一部切欠裏面図。
図３、使用のための準備完了の概略図。
図４、装着方法の説明図。
【符号の説明】
【００１５】１．  ウエイト素材
２．  表布
３．  裏布
４．  縁布
５．  マジックテープＡ面
６．  マジックテープＢ面
７．  マジックテープＡ面
８．  縫合線
９．  テープ
１０．縫合線
１１．通しカン
１２．仕切り縫合線
【図１】
0003110233.tif 000003
【図２】
0003110233.tif 000004
【図３】
0003110233.tif 000005
【図４】
0003110233.tif 000006
(57)【要約】      （修正有）【課題】使用中でも植物の微粉末が剥離しないで自然の活力（植物の特性）を十分に発揮させて化粧或は肌の手入れに使用することが出来る脂取り紙の提供。【解決手段】有機栽培されたアロエベラの外皮微粉末２を吸脂力の良い脂取り紙本体１の中に含有させたものである。【選択図】図２
0003110234.tif 000002
【実用新案登録請求の範囲】
【請求項１】
有機栽培されたアロエベラの外皮微粉末を吸脂力の良い脂取り紙本体の中に含有させたことを特徴とする脂取り紙。
【考案の詳細な説明】
【技術分野】
【０００１】  本考案は化粧或は肌の手入れの時に使用する脂取り紙に関するものである。
【背景技術】
【０００２】  科学の発達によって衣食住が向上し生活に余裕が出てきたため、余暇や趣向を最大限に楽しむようになってきた。
特に女性に於いてはグルメやファッションや美容に関心が高まり、中でも美容の中心となる化粧関係は日常生活に於いて欠かせないものとなっている。
その化粧関係に於いて使用する脂とり紙は、吸脂力が良く肌に優しいものが化粧品或は製紙業界で色々と研究開発されてきている。
そして自然の活力を利用することが考えられ、自然の活力を有し人体に害のない植物の特性を生かすため植物を粉末として紙両面に噴霧或は塗布にて設けるようにしている。
【考案が解決しようとする課題】
【０００３】  このように研究開発されている中で、人体に害のない植物の特性を生かした植物を粉末として紙両面に噴霧或は塗布にて設けたものは、使用を始めると植物の粉末が紙の表面から剥離してしまい、自然の活力を利用しようとしてもその効果を発揮しないで終ってしまい脂とり紙の使用上非常に不都合を感じていた。
【課題を解決するための手段】
【０００４】  本考案はこのような不都合を解消し、紙の製造工程中に人体に害のない植物の微粉末を混入して使用中でも植物の微粉末が剥離しないで自然の活力（植物の特性）を十分に発揮させて化粧或は肌の手入れに使用することが出来る脂取り紙を提供せんとするものである。
即ち、有機栽培されたアロエベラの外皮微粉末を吸脂力の良い脂取り紙本体の中に含有させたものである。
【０００５】  このように脂取り紙本体内にアロエベラの外皮微粉末を含有させた脂取り紙を使用すると、アロエベラの外皮微粉末を含有しているため使用していても脂取り紙本体より剥離或は脱落することがなく最後までアロエベラの特性を十分に発揮し、吸脂力の良い脂取り紙本体との相乗作用にて余分な皮脂を取りながら消炎してメラニン形成を阻害し肌のきめを整えケアーを十分に行うことが出来る。
【考案の効果】
【０００６】  上述の如く本考案は、アロエベラの外皮微粉末を含有しているため使用していても脂取り紙本体より剥離或は脱落することがなく最後までアロエベラの特性を十分に発揮し、吸脂力の良い脂取り紙本体との相乗作用にて余分な皮脂を取りながら消炎してメラニン形成を阻害し肌のきめを整えケアーを十分に行うことが出来る等の特長があり、実用上非常に優れた考案である。
【考案を実施するための最良の形態】
【０００７】  有機栽培されたアロエベラの外皮微粉末を吸脂力の良い脂取り紙本体の中に含有させたものである。
【実施例１】
【０００８】  以下本考案の一実施例を図面について説明する。
図中１はマニラ麻或はパルプからなる吸脂力の良い脂取り紙本体であって、有機栽培されたアロエベラの外皮微粉末２を脂取り紙本体１の製造過程に於いて、粘剤にアロエベラ外皮の微粉末を混合して溶解し抄紙機にて原料を紙に形成する前に原料に２〜５％の割合で混入して含有させている。【０００９】  使用すると、アロエベラの外皮微粉末２を含有しているため、使用していても脂取り紙本体１より剥離或は脱落することがなく最後までアロエベラの特性を十分に発揮し、吸脂力の良い脂取り紙本体１との相乗作用にて余分な皮脂を取りながら消炎してメラニン形成を阻害し肌のきめを整え手入れを十分に行うことが出来る。
【産業上の利用可能性】
【００１０】  日常生活での肌の手入れ用として使用する。
【図面の簡単な説明】
【００１１】
【図１】実施例１の正面図
【図２】図１のＡ−Ａ断面拡大図
【符号の説明】
【００１２】１  脂取り紙本体
２  アロエベラの外皮微粉末
【図１】
0003110234.tif 000003
【図２】
0003110234.tif 000004
(57)【要約】      （修正有）【課題】バスタオルの機能と、ビーチウエアの機能に加え、着替え時の隠蔽カバーとしての機能をも併せ有し、バスローブや室内着等として利用することもできる多目的ポンチョを提供する。【解決手段】吸水性に富んでいて保温性のあるタオル等の生地製で、首部から膝下までを覆う長さでゆったりとしたサイズであって、脇下部が開閉可能であり、且つ、内側面に、下着等を入れておく内ポケット６を１又は複数備える。【選択図】図１
0003110977.tif 000002
【実用新案登録請求の範囲】
【請求項１】
吸水性に富んでいて保温性のあるタオル等の生地製で、首部から膝下までを覆う長さでゆったりとしたサイズであって、脇下部が開閉可能であり、且つ、内側面に内ポケットを１又は複数備えることを特徴とする多目的ポンチョ。
【請求項２】
吸水性に富んでいて保温性のあるタオル等の生地製で、首部から膝下までを覆う長さでゆったりとしたサイズであって、脇下部が開閉可能であり、且つ、内側面に内ポケットを１又は複数備えると共に、フードを備えることを特徴とする多目的ポンチョ。
【請求項３】
吸水性に富んでいて保温性のあるタオル等の生地製で、首部から膝下までを覆う長さでゆったりとしたサイズであって、脇下部が開閉可能であり、且つ、内側面に内ポケットを１又は複数備えると共にフードを備え、更に、両側部下部にスリットが入れられていることを特徴とする多目的ポンチョ。
【考案の詳細な説明】
【技術分野】
【０００１】
本考案は多目的ポンチョ、より詳細には、プールやビーチ等で身にまとって濡れた身体を拭いたり、寒さを防いだりするために用いると共に、着替えの際に用いることができ、また、バスローブや室内着として利用することもできる多目的ポンチョに関するものである。
【背景技術】
【０００２】
プールやビーチ等において、水から上がった際に濡れた身体を拭いたり、身体の冷えを防止するためにバスタオル等が用いられるが、それで覆い得るのは、肩と背中の上部に限られる。また、男性や子供の場合は、バスタオルを腰に巻いて着替えをしたりもするが、その場合、バスタオルは締まっているために、着替え動作は行ないにくいものである。
【考案の開示】
【考案が解決しようとする課題】
【０００３】
本考案は上記事情に鑑みてなされたもので、バスタオルの機能と、ビーチウエアの機能に加え、着替え時の隠蔽カバーとしての機能をも併せ有し、バスローブや室内着等として利用することもできる多目的ポンチョを提供することを課題とする。
【課題を解決するための手段】
【０００４】
上記課題を解決するための請求項１に係る考案は、吸水性に富んでいて保温性のあるタオル等の生地製で、首部から膝下までを覆う長さでゆったりとしたサイズであって、脇下部が開閉可能であり、且つ、内側面に内ポケットを１又は複数備えることを特徴とする多目的ポンチョである。
【０００５】
上記課題を解決するための請求項２に係る考案は、吸水性に富んでいて保温性のあるタオル等の生地製で、首部から膝下までを覆う長さでゆったりとしたサイズであって、脇下部が開閉可能であり、且つ、内側面に内ポケットを１又は複数備えると共に、フードを備えることを特徴とする多目的ポンチョである。
【０００６】
上記課題を解決するための請求項３に係る考案は、吸水性に富んでいて保温性のあるタオル等の生地製で、首部から膝下までを覆う長さでゆったりとしたサイズであって、脇下部が開閉可能であり、且つ、内側面に内ポケットを１又は複数備えると共にフードを備え、更に、両側部下部にスリットが入れられていることを特徴とする多目的ポンチョ。
【考案の効果】
【０００７】
本考案に係る多目的ポンチョは、吸水性に富む保温性のあるタオル等の生地製であるので、一般のバスタオルと同様にして身体を拭くのに適し、また、ビーチウエアとして寒さしのぎに頭から被って身にまとうことができ、その状態で身体を楽に動かすことができるので、身に着けたまま着替えをすることが楽で、下着を内側面のポケットに入れておくことで、下着の着脱に際して下着を出し入れする必要がない効果がある。
【考案を実施するための最良の形態】
【０００８】
本考案の好ましい実施の形態を、添付図面に依拠して説明する。図１は、本考案に係る多目的ポンチョの使用状態を示す正面図、図２はその側面図で、図中１はポンチョ本体、２はポンチョ本体１に一体に形成されたフードである。ポンチョ本体１とフード２は、共に、吸水性に富んでいて、保温性のある生地（通例タオル生地）で縫製される。本考案に係る多目的ポンチョは、ビーチウエアや室内着等として利用されるので、それに相応しい柄、デザインとされる。
【０００９】
ポンチョ本体１は首部から膝下までを覆う長さで、全体にゆったりとしたサイズに縫製され、脇下部３は、ボタン４、ファスナー、布テープ等の手段を介して開閉可能にされる（図３）。この脇下部３の開閉によって腕部分の開きの広さを調整でき、例えば、下着の着脱時にはそこを開くことによって腕をより動きやすくすることができ、また、ウエアとしての着用時にはそこを閉じて隠すことができる。更に、両側部下部にスリット５が形成されることにより、歩行しやすいものとなる。
【００１０】
ポンチョ本体１の内側面には、１又は複数の内ポケット６が形成される。内ポケット６には、下着７やアクセサリー等の小物を入れることができる。
【００１１】
本考案に係る多目的ポンチョは上記構成であるため、プールやビーチ等において水から上がった際に簡単に身にまとい、タオルとして使用することができ、また、そのまま、ビーチウエアとして利用し、身体の冷えを防止することができる。フード２は、濡れた髪をぬぐうと共に、寒さ、日差しを避けるために利用できる。
【００１２】
内ポケット６には下着類を入れておくことができ、かくして、下着類を外から取り入れることなく、多目的ポンチョを着用したままで下着の着脱が可能となる。
【００１３】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００１４】
【図１】本考案に係る多目的ポンチョの使用状態を示す正面図である。
【図２】本考案に係る多目的ポンチョの使用状態を示す側面図である。
【図３】本考案に係る多目的ポンチョの使用状態を示す部分図である。
【図４】本考案に係る多目的ポンチョの内側面の構成を示す図である。
【符号の説明】
【００１５】
１    ポンチョ本体
２    フード
３    脇下部
４    ボタン
５    スリット
６    内ポケット
７    下着
【図１】
0003110977.tif 000003
【図２】
0003110977.tif 000004
【図３】
0003110977.tif 000005
【図４】
0003110977.tif 000006
(57)【要約】      （修正有）【課題】袋体の中にマグネシウム粉を入れ封をし、パックとして、ポットの中に直接入れ日常的にマグネシウムを摂取できる様にしたポット用マグネシウム粉パックを提供する。【解決手段】紙、布等の液体を通す袋体にマグネシウムの粉を封入しパックする。これを直接ポットの中に入れて麦茶等を注ぐ。マグネシウムが徐々に溶出し、マグネシウムの優れた効果が得られる。ダイエットする時に効くが外に、便秘を解消し、血液がサラサラとなり、カルシウムの働きを調整し、心疾患、骨粗しょう症の予防となり、神経を鎮静化し、集中力を増加させ利尿作用があり、尿路結石を予防し、糖尿病の人にインシュリン分泌を改善し、肥満を解消し、片頭痛の発作を予防し、むくみを解消し、悪玉コレステロールと中性脂肪を低下させ善玉コレステロールを増加させる等の効果がある。【選択図】図１
0003110975.tif 000002
【実用新案登録請求の範囲】
【請求項１】
マグネシウムの粉を、液体を通す袋体に入れ封入パックしたもので、ポットに直接入れることが可能なポット用マグネシウム粉パック
【考案の詳細な説明】
【技術分野】
【０００１】
本考案は、日常的に使用する麦茶用などのポットに入れるポット用マグネシウム粉をパックしたものである。
【背景技術】
【０００２】
マグネシウムを日常的に摂ることは、身体に良いものであり、本考案は、ポットに入れることにより日常的にマグネシウムを摂取できる様にする。
【特許文献１】今までに特記すべきものはありません。
【非特許文献１】出願人は、袋体に入れたマグネシウムを浴槽などに入れた例をパンフレット等で提案しているが、本考案に類するものは無い。
【考案の開示】
【考案が解決しようとする課題】
【０００３】
本考案は、麦茶等をポットに入れて飲む時一緒にマグネシウムを摂取できるポット用マグネシウム粉パックを提供する。
【課題を解決するための手段】
【０００４】
本考案は、マグネシウムの粉を、液体を通す袋体に入れ封入パックしたもので、ポットに直接入れることが可能なポット用マグネシウム粉パックである。
【考案の効果】
【０００５】
マグネシウムを摂取すると、便秘を解消し、血管を広げ血流安定で血液がサラサラになり、カルシウムの働きを調整し心疾患、骨粗しょう症の予防となり、神経を鎮静化して集中力を増加させ、利尿作用があり尿路結石を予防し、糖尿病の人のインシュリン分泌を改善させ、糖質、脂質、たんぱく質の代謝向上で肥満を解消し、血小板の凝集を抑制し、片頭痛の発作を予防し、朝一番に飲むと、むくみを解消し、悪玉コレステロールと中性脂肪を低下させ、善玉コレステロールを増加させる。
【考案を実施するための最良の形態】
【０００６】
マグネシウム粉１を、紙、布等の袋体２に入れ封をしパックする。
【０００７】
マグネシウム粉パックをポットに入れた後の時間経過別のマグネシウム溶出量計測データによると、３０分で８．２ｍｇ／Ｌ、６０分で８．３ｍｇ／Ｌ、１２０分で８．８ｍｇ／Ｌ、１８０分で８．９ｍｇ／Ｌ、２４０分で９．１ｍｇ／Ｌとなることが日本環境株式会社、中央研究所の検査により出ている。
【０００８】
又、成分分析によると、亜鉛１．６ｍｇ／Ｌ、カルシウム４．３ｍｇ／Ｌ、マグネシーム４６ｍｇ／Ｌ、鉄０．１５ｍｇ／Ｌ、マンガン０．５２ｍｇ／Ｌとなっている。これも日本環境株式会社  中央研究所の検査による。
【０００９】
麦茶用ポットなどにパックをそのまま直接入れて使用する。パックの中には、特別処理を施したマグネシウム切粉が入っており、自然にマグネシウムが溶出する。水道水が一晩で人間にとって必須のマグネシウム、ミネラル水に生まれ変わります。健康と美容に一日３００ｍｇのマグネシウムを摂ることが大事である。
【００１０】
又、ダイエット中に便秘は最大の敵と良く言われるが、マグネシウムは体内の酵素の働きに欠かせない、酵素補助因子の役割を担い、大腸内での水分調整を助け又、通じを促す働きがある。ダイエット中は、カルシウムを減少させ骨がもろくなりがちであり、そこでカルシウムを多く摂取してその減少を補う方法をとるが、骨の形成にはマグネシウムが大切な栄養素である。
【産業上の利用可能性】
【００１１】
本考案は、手軽にマグネシウムを補強でき又、パックをポットに直接入れるだけで、手間がかからないので広く利用されると思う。
【図面の簡単な説明】
【００１２】
【図１】断面図である。
【図２】断面図である。
【符号の説明】
【００１３】
１  マグネシウム粉
２  袋体
【図１】
0003110975.tif 000003
【図２】
0003110975.tif 000004
(57)【要約】      （修正有）【課題】鉄道ホ−ム上から投げ捨てられたゴミで常に汚れている線路際を容易く清掃できるクリ−ナ−を提供する。【解決手段】車輪のついた台車上にクリ−ナ−を設置し、そのクリ−ナ−に１００Ｖの電源を供給するための発電機も搭載する。鉄道の線路上を台車ごとスライドさせながらクリ−ナ−にて線路際のゴミを清掃する。【選択図】図１
0003110908.tif 000002
【実用新案登録請求の範囲】
【請求項１】
クリ−ナ−、発電機、及びそれらを搭載する台車にて構成されるクリ−ナ−において、台車は鉄道の線路に沿って移動が可能である事を特徴とするクリ−ナ−。
【考案の詳細な説明】
【考案の詳細な説明】
【技術分野】
【０００１】  この考案はクリ−ナ−の使用方法に関するものである。
【背景技術】
【０００２】  屋外用クリ−ナ−は従来から様々なものが存在しているが、鉄道の線路際を清掃することに対応できるクリ−ナ−の事例はない。
【考案が解決しようとする課題】
【０００３】  本考案は、従来から存在しているクリ−ナ−では清掃することが困難だった鉄道の線路際のゴミを無理なく清掃できることを可能にするクリ−ナ−を提供しようとするものである。
【課題を解決するための手段】
【０００４】  本考案が提供するクリ−ナ−は、鉄道の線路上をスライドする台車上に設置されており、線路上を移動しながら操作することにより、家庭内における通常の清掃と同じ感覚で、クリ−ナ−を扱うことができる。
【考案を実施するための最良の形態】
【０００５】  鉄道線路際の清掃は当然屋外作業となるため、台車上には発電機も同時に搭載し、クリ−ナ−への電力の供給を行なう。
鉄道線路上を移動しながら線路際の清掃を実施することができる。
【実施例】
【０００６】  以下、添付図面に沿って実施例を説明する。
図１は製品のイメ−ジ図である。
車輪のついた台車上にクリ−ナ−を設置し、そのクリ−ナ−に１００Ｖの電源を供給するための発電機も搭載する。
鉄道の線路上を台車ごとスライドさせながらクリ−ナ−にて線路際のゴミを清掃する。
【考案の効果】
【０００７】  ゴミがたまりやすいにもかかわらず、清掃が困難であった鉄道線路際を無理なく清掃することができる。
【図面の簡単な説明】
【図１】  本考案を製品化した時のイメ−ジ図である。クリ−ナ−、発電機、台車により構成されており、台車は車輪により線路上を移動できる。
【符号の説明】
１．クリ−ナ−
２．発電機
３．台車
４．車輪
【図１】
0003110908.tif 000003
(57)【要約】      （修正有）【課題】グリン上及びカップインしたゴルフボールを拾上げるのに膝、腰に負担をかけないで現在使用中のパターのグリップエンドにゴルフボールキャッチャを取り付け腰をかがめず立ったままゴルフボールを簡単に拾上げる事が出来るゴルフボールキャッチャを提供する。【解決手段】ゴルフボールの形に合せ曲線を作り、先端をボールをキャツチしやすい様に外側に折り曲げる。これを２つ抱き合わせ根元を針金かハンダー付けにより固定し、これをパターのグリップエンドの穴に差し込みボールの上から押さえボールを取り込むことが簡単に出来る。【選択図】図４
0003110903.tif 000002
【実用新案登録請求の範囲】
【請求項１】
スチール針金等でゴルフボールを挟みあげる形状の輪を作りこれを２つ重ね合わせ下を針金等で固定しゴルフパターのグリップエンド穴に挿し込んで使用するゴルフボールキャツチャー。
【考案の詳細な説明】
【技術分野】
【０００１】カップインしたゴルフボールを簡単に拾い上げることができる。
【背景技術】
【０００２】ゴルフ人口もいよいよ高齢化（シニヤ）を迎え膝、腰が悪くなりカップインしたボールを拾い上げるのに一苦労しています。
【考案の開示】
【考案が解決しようとする課題】
【０００３】高齢化により膝、腰に病を抱えてゴルフをプレイしている人がいかに多いかを知りこれ等の人々の膝、腰に負担をかけないでプレイ出来るようにする事。
【課題を解決するための手段】
【０００４】グリン上及びカップインしたゴルフボールを拾上げるのに膝、腰に負担をかけないで現在使用中のパターのグリップエンドにゴルフボールキャッチャを取り付け腰をかがめず立ったままゴルフボールを超簡単に拾上げる事が出来る。
【考案の効果】
【０００５】高齢者及び膝、腰に病のある多くの人々が楽しくゴルフをプレイする事が出来る。
【考案を実施するための最良の形態】
【０００６】図１の様にゴルフボールの形に合せ曲線を作る、先端をボールをキャツチしやすい様に外側に折り曲げる。これを２つ抱き合わせ根元を針金かハンダー付けにより固定するこれをパターのグリップエンドの穴に差し込みボールの上から押さえボールを取り込むことが簡単に出来る。
【実施例】
【図面の簡単な説明】
【０００７】以下添付図面に従って実施例をせつめいする。【図１】はスチール針金（０．９ミリ）で作成する。
【図２】は図１を２つ重ね合わせ根元を固定する。
【図３】は図２をパターグリップエンドの穴に挿し込む。
【図４】は  矢印の方向にパターをおあいつけボールを取り込む。
【符号の説明】
【０００８】１  キャツチャーの片側
２  ２つを固定する
３  グリップエンドに差し込む部分
４  グリップ
５  グリップエンドの穴
６  パター本体
７  ゴルフボール
【図１】
0003110903.tif 000003
【図２】
0003110903.tif 000004
【図３】
0003110903.tif 000005
【図４】
0003110903.tif 000006
(57)【要約】      （修正有）【課題】お玉杓子やスプ−ンの柄を鍋や瓶に安定して立て掛けたり、また、上下の位置を調節して立て掛けたりできるようにする。【解決手段】二枚の板を折り重ねてクリップとし、お玉杓子やスプ−ンの柄に着脱するために、前面板の左裏の側面をエンボス加工し、前面板の下側を下方に張り出し、また、鍋や瓶の縁に挟むために、裏面板の下部のフック部分を後方に折り曲げるという構成からなっている。【選択図】図１
0003110905.tif 000002
【実用新案登録請求の範囲】
【請求項１】
前面板と裏面板を折り重ね、前面板の裏の左側をエンボス加工し、前面板の下側を下方に張り出し、また、裏面板の下部のフック部分を後方に折り曲げて、お玉杓子やスプ−ンの柄に着けるクリップ
【考案の詳細な説明】
【技術分野】
【０００１】  この考案は、お玉杓子やスプ−ンの柄に着けて鍋や瓶の縁に掛るためのクリップである。
【背景技術】
【０００２】  鍋や瓶の使用にあたり、お玉杓子やスプ−ンの使い勝手をよくするために、鍋や瓶の縁に立て掛けたままにしておくことが多い。【０００３】  ところが、お玉杓子やスプ−ンの柄は真っすぐなので、お玉杓子やスプ−ンを鍋や瓶の縁に安定して立て掛けることが難しい。
【考案の開示】
【考案が解決しようとする課題】
【０００４】  この考案が解決しようとする問題点は、次の通りである。
（イ）お玉杓子やスプ−ンを鍋や瓶の縁に安定して立て掛けられるようにする。
（ロ）お玉杓子やスプ−ンの位置を上下に調節して鍋や瓶に立て掛けられるようにする。
【課題を解決するための手段】
【０００５】  この考案が解決する手段は、次の通りである。
（イ）右側に厚みを維持し、また、左側で接触するように、前面板（１）と裏面板（２）を折り重ねて、クリップとする。
（ロ）前面板（１）の下側を下方に張り出し、この部分を着脱のための開口部（４）とし、また、前面板（１）の裏の左側をエンボス加工し、着脱のための支持部（５）とする。
（ハ）裏面板（２）を前面板（１）よりも縦長とし、その下部を後方に折り曲げ、フック部（３）とする。
【考案の効果】
【０００６】  この考案の効果は、次の通りである。
（イ）お玉杓子やスプ−ンの柄をステンレスの弾力によって挟み込むので、お玉杓子やスプ−ンの安定度が高い。
（ロ）鍋や瓶の態様や内容物の分量に応じて、お玉やスプ−ンの柄を上下に調節して立て掛けられる。
（ハ）お玉杓子やスプ−ンの柄にクリップを着けたり取り外すのが容易であり、また、傷をつけることがない。
【考案を実施するための最良の形態】
【０００７】  この考案の最良の実施形態は、次の通りである。
（イ）お玉やスプ−ンの柄をクリップの下部に設けた着脱のための開口部（４）に合わせて、フック部とのすき間を押し広げ、支持部（５）の上を滑らせて差し込む。
（ロ）後方に折り曲げられたフック部（３）を鍋や瓶の縁に差し挟む。
【実施例】
【０００８】  この考案の実施例は、次の通りである。
（イ）お玉杓子やスプ−ンの柄の厚みを右側に維持し、また、その左側で接触するようにして、前面板（１）と裏面板（２）を折り重ねてクリップとする。
（ロ）前面板（２）の左側の下部の角を、着脱のための開口部（４）とし、また、前面板（１）の左裏側の側面をエンボス加工して、着脱のため支持部（５）とする。
（ハ）お玉杓子やスプ−ンの柄を着脱のための開口部（４）に合わせて斜めにして、支持部（５）の上を滑らせて柄に挟み込む。
（ニ）裏面板（２）を前面板（１）よりも縦長とし、その下部を後方に折り曲げ、フック部（３）とする。その部分を鍋や瓶の縁に差し挟む。
【図面の簡単な説明】
【０００９】
【図１】  本考案のクリップの展開図である。
【図２】  本考案のクリップの裏面図である。
【図３】  本考案のクリップの左側面図である。
【符号の説明】
【００１０】１  前面板
２  裏面板
３  フック部
４  開口部
５  支持部
【図１】
0003110905.tif 000003
【図２】
0003110905.tif 000004
【図３】
0003110905.tif 000005
(57)【要約】      （修正有）【課題】お玉杓子を鍋の縁に安定して立て掛けたり、また、そのまま蓋をぴったり閉めることによって、お玉杓子をすぐ使ったり、また、それを置くための皿を使わなくともよいようにする。【解決手段】お玉杓子の柄を前方に角を２度付けてクランク状に折り曲げるという構成となっている。【選択図】図１
0003110904.tif 000002
【実用新案登録請求の範囲】
【請求項１】
前方に角度を２度付けて、クランク状に折り曲げられた柄をもつお玉杓子
【考案の詳細な説明】
【技術分野】
【０００１】  この考案は、鍋の縁に立て掛けたまま蓋をすることができるように、腰掛け状の柄をもつお玉杓子である。
【背景技術】
【０００２】  鍋を使った調理にあたり、お玉杓子を鍋の縁に立て掛けたままで蓋をしておくと、いろいろと便利であるために、一般に行われている。【０００３】  ところが、おたま杓子の柄は真っすぐにできているために、鍋の蓋をぴったり閉めることができないし、また、お玉杓子を鍋の縁に安定して立て掛けることも難しい。
【考案の開示】
【考案が解決しようとする課題】
【０００４】  この考案が解決しようとする問題点は、次の通りである。
（イ）お玉杓子を鍋の縁に立て掛けても、鍋の蓋がぴったりと閉められるようにする。
（ロ）また、お玉杓子を鍋の縁に安定して立て掛けられるようにする。
【課題を解決するための手段】
【０００５】  この考案が解決する手段は、次の通りである。
（イ）お玉杓子の柄（１）の部分に角（２）を付けて、前方にクランク状に折り曲げる。
（ロ）そこから、一定の間隔をあけた後、角（３）を付けて、前方にクランク状に折り曲げる。
【考案の効果】
【０００６】  この考案の効果は、次の通りである。
（イ）お玉杓子を鍋の縁に安定して立て掛け、また、そのまま蓋をぴったりしめることができる。
（ロ）したがって、お玉杓子をすぐ使うことができるし、また、お玉杓子を置くための皿を使わなくともよい。
【考案を実施するための最良の形態】
【０００７】  この考案の最良の実施形態は、次の通りである。
（イ）お玉杓子の柄（１）の中程の部分に角（２）を付けて前方に折り曲げる。そこから、一定の間隔をあけて、再度、柄の部分を前方に角（３）を付けて折り曲げる。
（ロ）お玉杓子の折れ柄（４）の部分を鍋の縁に立て掛ける。
【実施例】
【０００８】  この考案の実施例は、次の通りである。
（イ）お玉杓子の柄（１）の中程を、最初に、角（２）を付けて前方に折り曲げる。
（ロ）そして、鍋の縁に立て掛けられるように、一定の間隔をあける。
（ハ）再度、柄の部分を前方に向けて角（３）を付けて折り曲げる。
（ニ）鍋の縁にお玉杓子の折れ柄（４）の部分を掛ける。
【図面の簡単な説明】
【０００９】
【図１】  お玉杓子の側面図である。
【符号の説明】
【００１０】１  お玉の柄
２  角１
３  角２
４  折れ柄
【図１】
0003110904.tif 000003
(57)【要約】      （修正有）【課題】ガードルとボディスーツといった女性用の下着は、きつく縛ったり、堅い素材を使わずに、着心地をよくしたり、また、正しい姿勢を保持して、健康を害さないようなものにする。【解決手段】腰骨の５センチメートル上にあたる腰の周囲を５センチメートル幅のウェストシェパーで締めるとともに、子宮にあたる腹部をウォーマーで軽く圧するガードルと、胸部を開けて乳房の下部からホールダーやリストアップで乳房全体を押し上げるボディスーツの組み合わせてセットするという構成となっている。【選択図】図１
0003110906.tif 000002
【実用新案登録請求の範囲】
【請求項１】
腰骨の５センチメートル上にあたる腰の周囲を５センチメートル幅のウェストシェーパーで締めるとともに、子宮にあたる腹部をウォーマーで軽く圧するガードルと、胸部を開けて、乳房の下部からホールダーやリストアップシェパーで乳房全体を押し上げるボディスーツを組み合わせてセットした女性用下着
【考案の詳細な説明】
【技術分野】
【０００１】  この考案は、女性の美容と健康を増進するための下着であって、ガードルとボディスーツを組み合わせたものである。
【背景技術】
【０００２】  ガードル・ボディスーツ等の女性用の下着には、従来、実用的なものが一般的であった。ところが、最近、女性らしさを強調するおしゃれ下着、また、美容と健康のための矯正下着が出回っている。【０００３】  おしゃれ下着は、体型の整った若年層には適しているけれども、年齢層が高くなるに従って不向きとなる。若年層であっても、これを長期にわたり着用すると、体型が崩れるおそれがある。
この難点を補うのが、矯正下着である。これは、正しい姿勢を保持し、脂肪の流動性を考慮した減り張り体型をつくり、また、保温効果によって、若年層の女性の成人病を予防することにもなる。
しかし、矯正下着にも難点が残る。これは、身体をきつく縛りすぎたり、また、素材が堅すぎたりするので、着心地が悪かったり、健康を害する原因にもなる。
【考案の開示】
【考案が解決しようとする課題】
【０００４】  そこで、女性用の下着を以下のようなものとする必要がある。
（イ）女性のおしゃれ心を満足させるだけではなく、女性の美容と健康を増進させる下着にする。
（ロ）女性が心地よく着けられるような下着にするためには、女性の身体をきつく縛らないようにしたり、また、堅い素材を使わないようにする。
（ハ）女性の健康を守り、婦人病にかからないような下着にするために、正しい姿勢を保持できるようにする。
【課題を解決するための手段】
【０００５】  この女性用の下着に関する考案は、次のような構成からなりたっている。
（イ）腰骨の５センチメートル上にあたる腰の周囲を５センチメートル幅のウェストシェーパー（６）で締め、また、子宮にあたる腹部をウォーマー（７）で軽く圧するガードル（５）である。
（ロ）胸部を広く開けて、乳房の下部からリストアップシェパー（２）やホールダー（３）で乳房全体を押し上げるボディスーツ（１）である。
（ハ）このようなガードル（５）とボディスーツ（１）を重ね合わせて着用できるように組み合わせてセットする。
【考案の効果】
【０００６】  この考案の効果は、次の通りである。
（イ）女性は、腰の周囲を締めたり、また、子宮部にあたる腹部を圧するようなカードル（５）を着用することによって、正しい姿勢を保持できるので、婦人病の予防になる。
（ロ）女性は、乳房の下部から乳房全体を押し上げることによって、ボディスーツ（１）を心地よく着ることができる。
（ハ）女性は、これらのガードル（５）とボディスーツ（１）を組み合わせることによって、着心地のよさを高めたり、また、美容と健康を増進することにもなる。
【考案を実施するための最良の形態】
【０００７】  （イ）ボディスーツ（１）を着用すると、広く開けられた乳房をリストアップシェパー（２）やホールダー（３）で押し上げることになる。
（ロ）ガードル（５）を着用すると、腰骨から５センチメートル上にある腰の周囲を５センチメートル幅のウェストシェパー（６）で締めたり、また、子宮にあたる部分をウォーマー（７）で軽く圧することになる。
（ハ）このようなボディスーツ（１）とガードル（５）を重ねて着用できるように組み合わせてセットする。
【実施例】
【０００８】  （イ）ボディスーツ（１）を、胸部、特に乳房を広く開けて、また、乳房の下部から乳房全体を押し上げるようにするために、ホールダー（３）やリストアップシェパー（２）は、弾力のある素材とする。
女性の体型に応じて、ボディスーツ（１）をハイレッグタイプ（４）のものとしたり、また、おしりポッチャリタイプのものとしてもよい。
（ロ）ガードル（５）を、腰骨から５センチメートル上にある腰の周囲を５センチメートル幅で締めるために、ウェストシェーパー（６）を弾力のある素材としたり、また、子宮にあたる部分を軽く圧するためには、ウォーマー（７）を弾力のある素材とする。
女性の服装に応じて、ガードル（５）の長さをロング（９）、ショート（８）、ショーツというタイプにしてもよい。ロングタイプとしたとき、最下部のレース（１０）のすその位置をひざが隠れるようなものにするとよい。
（ハ）このようなボディスーツ（１）を着用した後に、その上にガードル（５）を重ねて着用できるように組み合わせてセットしておくと便利である。
【図面の簡単な説明】
【０００９】
【図１】ボディスーツとガードルを組み合わせてセットした表面図
【図２】ボディスーツとガードルを組み合わせたセットした裏面図
【図３】ボディスーツのロングの表面図
【図４】ボディスーツのロングの裏面図
【符号の説明】
【００１０】    １  ボディスーツ
２  リストアップシェパー
３  ホールダー
４  ハイレッグタイプのボディスーツ
５  ガードル
６  ウェストシェパー
７  ウォーマー
８  ショートタイプのガードル
９  ロングタイプのガードル
１０  レースのすそ
【図１】
0003110906.tif 000003
【図２】
0003110906.tif 000004
【図３】
0003110906.tif 000005
【図４】
0003110906.tif 000006
(57)【要約】      （修正有）【課題】複数種類の香りを放出する香り付きのアクセサリーを容易に且つ安価に交換可能とした新規のアクセサリーを提供する。【解決手段】香りを放出する固体等および該固体等を保持し、且つ該固体等を取り替え可能とする開閉機構を有する宝飾品を主として構成するアクセサリーとし、複数種類の香りを容易に且つ安価に交換可能とする。【選択図】図１
0003110902.tif 000002
【実用新案登録請求の範囲】
【請求項１】
香りを放出する固体等を内部に格納可能な容器において、該容器の一部にちょうつがい機構を備え、香りを放出する固体等を交換可能とすることを特徴とする香り付きの宝飾品アクセサリー
【考案の詳細な説明】
【考案の詳細な説明】
【技術分野】
【０００１】本考案は、香りを放出する固体等を保持し、且つ該固体等を取り替え可能とする開閉機構を有する宝飾品を主として構成するアクセサリーにより、複数種類の香りを放出する香り付きのアクセサリーを容易に且つ安価に交換可能とした新規のアクセサリーに関するものである。
【背景技術】
【０００２】従来、アクセサリーは、その構成要素がアクセサリー一つ一つに固定的であり、特別な治具等を使用しない限り、容易にその構成要素を交換できない構造となっている。又、香り付きのアクセサリーも香りを放出する固体あるいは液体等を容易に交換できない構造となっている。
【考案が解決しようとする課題】
【０００３】従って、香り付きのアクセサリーは、着用される衣服、装着する器具、使用する場所、使用する時間等の状況に合わせ最適に選択され使用されている。このため、想定される前記状況に応じて、一般に多くの香り付きアクセサリーをあらかじめ用意しておく必要がある。
【課題を解決するための手段】
【０００４】上記の課題を解決するために、本考案では、香りを放出する固体等を保持し、且つ該個体等を取り替え可能とする開閉機構を有する宝飾品を主として構成するアクセサリーとし、複数種類の香りを容易に且つ安価に提供する香り付きアクセサリーとした。
【考案を実施するための最良の形態】
【０００５】本考案になる香りを取り替え可能なアクセサリーについて、図面に示す具体的な実施例にもとづいて説明する。
図１は香りを放出する固体等および該固体等を保持し、且つ該固体等を取り替え可能とする開閉機構を有する宝飾品を主として構成する香り付きアクセサリーである。【０００６】図１に示すアクセサリーは、開閉および閉止状態を保持する機構および香りを放出する固体等を保持する金属等で構成される宝飾品（１）、その宝飾品に保持される香りを放出する固体等（２）および開閉機構を有する宝飾品を身体あるいは器具に装着するための宝飾品（３）により構成される。
【考案の結果】
【０００７】本考案は、上記のように構成され、開閉機構を使用し、内部の香りを放出する固体等を取り替えることにより、香り付きアクセサリーの有する装飾性を、必要とする状況に合わせ短時間で変化させることが可能となり、状況に合わせて多くのアクセサリーをあらかじめ保有することを不要とする等、優れた効果を発揮する。
【図面の簡単な説明】
【０００８】
【図１】図１は、開閉および閉止状態を保持する機構および香りを放出する固体等を保持する金属等で構成される宝飾品、その宝飾品に保持される香りを放出する固体等および開閉機構を有する宝飾品を身体あるいは器具に装着するための宝飾品により構成される香り付きアクセサリーを示した正面図である。
【図２】開閉および閉止状態を保持する機構および香りを放出する固体等を保持する金属等で構成される宝飾品の開状態の斜視図である。
【符号の説明】
【０００９】１  開閉および閉止状態を保持する機構および香りを放出する固体等を保持する金属等で構成される宝飾品
２  宝飾品に保持される香りを放出する固体等
３  開閉機構を有する宝飾品を身体あるいは器具に装着するための宝飾品
【図１】
0003110902.tif 000003
【図２】
0003110902.tif 000004
(57)【要約】      （修正有）【課題】ポリタンクのキャップを外すしたり、ハンドライトをあてて照らすことなくタンク内の容量を確認できるようにしたキャップの提供。【解決手段】キャップ本体１に発光灯３を取り付け、キャップ上部に電池収納部２を設けてタンク内を照らし、見やすいものにする。【選択図】図１
0003110907.tif 000002
【実用新案登録請求の範囲】
【請求項１】
タンクのキャップ部分に発行灯をつけ、タンク内を見やすくたタンクキャップ。
【考案の詳細な説明】
【考案の詳細な説明】
【０００１】［考案が解決しようとする課題］
タンクに灯油等を補充する時に、室内の明かりがタンク内に届かず、容量が把握出来ないという問題点があった。
【０００２】［課題を解決するための手段］
タンクキャップに発行灯３を付け、タンク内を明るく照らした。
【０００３】［考案の効果］
キャップを外して、タンク内の容量を確認しなくても、見える様になった。
【図面の簡単な説明】［図１］
キャップ本体の断面図である。
［図２］
キャップ本体裏の平面図である。
［図３］
キャップ本体の立面図である。
【符号の説明】
１  キャップ本体
２  電池収納部
３  発光灯
４  耐熱防油カバー
５  反射板
６  スイッチ
７  パッキン
【図１】
0003110907.tif 000003
【図２】
0003110907.tif 000004
【図３】
0003110907.tif 000005
(57)【要約】      （修正有）【課題】形状において従来品より複雑なものとなり、市場に於いて、展示の差別化が期待できる。また、下部の切り口の開口部より指、手を入れて玩具として流用できることで、より付加価値を製品に与えることができる小分け袋体の提供。【解決手段】内袋に動物やアニメキャラクターをかたどり、また切り口を下部に設ける事により、その内袋を、指人形としてもう一度楽しめるようにする。【選択図】図２
0003110901.tif 000002
【実用新案登録請求の範囲】
【請求項１】
適宜、動物やアニメキャラクターをかたどったフィルムまたはシート製ふりかけ小分け袋体１に、切り口２を下部に設け、内容物を取り出した後に、切り口によって生じた開口部より、指、または手などを入れて指人形として遊ぶことができることを特徴とする玩具兼用ふりかけ小分け袋体。
【考案の詳細な説明】
【技術分野】
【０００１】本考案は、食品の袋体に係り、とくに、ふりかけなどの小分け品を包装するのに好適、また、内容物を取り出し後に玩具として利用できる機能を有する小分け袋体に関する。
【背景技術】
【０００２】ふりかけなどの小分け食品では、複数の小分けされた状態で包装され流通している。その小分け袋体には、動物やアニメキャラクターなどが印刷されていることがしばしば見られる。
【考案の開示】
【考案が解決しようとする課題】
【０００３】上記従来の分離された小分け品の包装形態は、内容物を取り出した後は、当然ゴミとして廃棄される。取り出した後遊ぶことは考えられておらず、印刷されたキャラクターがされているとは十分に利用されているとは言えない。また形状が単純（四辺形）である。
【課題を解決するための手段】
【０００４】本考案の小分け袋体は、上述の課題を解決するものであり、キャラクターなどをかたどった袋体１の下部に、切り口２を設けることにより、内容物を取り出した後に、切り口によって生じた開口部より、指、または手などを入れて指人形として遊ぶことができる機能を特徴とするものである。
【考案の効果】
【０００５】本考案の小分け袋体は、形状において従来品より複雑なものとなり、市場に於いて、展示の差別化が期待できる。また、下部の切り口の開口部より指、手を入れて玩具として流用できることで、より付加価値を製品に与えることができる。
【考案を実施するための最良の形態】
【０００６】小分け袋体を構成する、フィルムまたはシート（以下、包括的にフィルムと称す）としては、プラスチック製のフィルムや金属箔が好適に用いられる。これは従来の、ふりかけなどの袋体と同様の材質である。【０００７】このフィルムを重畳した本考案の袋体は、キャラクターを型どって成形され、その縁部の全方向で密封され、内部空間としての室をもって形成される。また切り口を下部（キャラクターの下部）に設ける。
【実施例】
【０００８】図面を参照しつつ本考案の好ましい態様を説明する。【０００９】図１は、本考案の小分け袋体の実施例を示す平面図である。図を参照して、この袋体は重ね合わせた表裏２枚のプラスチック製フィルム１および２の縁部３の全方向をヒートシール、超音波シール、高周波シール、接着などにより密封し、袋体４の内部に室を設け、切り口をキャラクター下部に設けてなる。【００１０】図２は、上記の袋体にキャラクターなどを印刷した態様である。内容物を取り出した後に、切り口によって生じた開口部より、指、または手などを入れて指人形として遊ぶことができる。
【産業上の利用可能性】
【００１１】本考案の小分け袋体は、内容物取り出し後に指人形玩具として利用する目的を有しているため、主に子供を対象とした市場において用いられる。また形状が従来の長方形状と異なっているため、市場に出した際に従来品との差別化が容易である。
【図面の簡単な説明】
【００１２】〔図１〕はフィルム製小分け袋体の構造の平面図である。
〔図２〕はフィルム製小分け袋体にキャラクターなどを印刷した平面図である。
【符号の説明】
【００１３】１・・・・・フィルム
２・・・・・フィルム
３・・・・・フィルム縁部
４・・・・・袋体
５・・・・・切り口
６・・・・・動物やアニメキャラクターなどを印刷したフィルム製小分け袋体
【図１】
0003110901.tif 000003
【図２】
0003110901.tif 000004
【手続補正書】
【提出日】平成17年3月29日(2005.3.29)
【手続補正１】
【補正対象書類名】明細書
【補正対象項目名】０００３
【補正方法】変更
【補正の内容】
【０００３】            上記従来の分離された小分け品の包装形態は、内容物を取り出した後は、当然ゴミとして廃棄される。取り出した後遊ぶことは考えられておらず、印刷されたキャラクターが十分に利用されているとは言えない。また形状が単純（四辺形）である。
(57)【要約】【課題】本考案は１本の補助紐を使う事で従来は身体の柔軟性や体型に問題を抱えた人には着用が難しかった、背中のファスナーで着脱するタイプの洋服を容易に着脱する為の考案である。【解決手段】本考案はファスナー開閉用つまみに補助紐連結用部材３で補助紐を連結した後、引っ張り用握りを利用して補助紐を所定の方向に引っ張る事で洋服の着脱用ファスナーを容易に開閉し、もって背中にファスナーが有るタイプの洋服の着脱を容易にする。【選択図】図２
0003110917.tif 000002
【実用新案登録請求の範囲】
【請求項１】
一方の端部には引っ張り用部材、もう一方の端部にはファスナー連結用部材を装着した、ひも。
【考案の詳細な説明】
【技術分野】
【０００１】本考案は一方の端部に操作用の引っ張り部材を、反対側の端部には洋服着脱用ファスナーに連結して使用する為の部材を装備した洋服着脱用の補助ひもである。
【背景技術】
【０００２】従来は背中部分のファスナーを上下に開閉させて着脱するタイプの衣服を着脱するに際しては自らの手を背中に廻してファスナーを上げ下げするか、第三者の助力でファスナーを上げ下げしてもらっていた。
【考案の開示】
【考案が解決しようとする課題】
【０００３】背中部分のファスナーを使用して着脱するタイプの洋服の着脱には、他の方式で着脱する洋服を着脱するよりも柔軟な手腕の関節と、洋服のサイズに、より適合した体型が求められる。
然るに加齢や運動不足、肥満、事故等の身体的要因により第三者の助力無しには背中部分のファスナーを使用して着脱するタイプの洋服の着脱が難しく成った方でも、自分の力だけで自由に洋服を着脱してもらう為の考案。
【問題を解決する為の手段】
【０００４】本考案は、着脱する洋服のサイズに合わせた充分な長さの紐の、片方の端部には着脱用ファスナーの開閉用つまみに紐の先端を連結する為の部材と、反対側の端部には手先が多少不自由でも紐の端部が見つけ易く掴み易い様に弾力性のある大きめの引っ張り部材が装着されている。
【０００５】本考案の補助紐を使用して洋服を着用する場合は、事前に洋服に装備されたファスナーの開閉用つまみの部分を、本考案の補助紐先端連結部材で補助紐と連結してから洋服を着用する。
後はファスナーを閉じる段階にまで洋服を身に着けた段階で補助紐先端の引っ張り部材をファスナーが閉じる方向に完全に閉じきるまで引き続ける事で洋服の着用は完了する。
洋服の着用完了後はファスナー開閉つまみに固定していた補助紐先端の連結用部材をファスナーより取り外し、洋服着用時の本考案補助紐の使用を完了する。
着用した洋服を脱ぐ場合には、洋服着用時と同じ要領でファスナー開閉つまみに補助紐を連結した後、洋服着用時とは逆にファスナーが開く方向にファスナーが開ききるまで本考案紐の引っ張り部材を引き続ける。ファスナーが完全に開ききった状態で洋服を脱ぎ、本考案の補助紐の連結用部材を脱いだ洋服のファスナー開閉つまみから外して、使用を終わる。
【考案の効果】
【０００６】従来は背中にファスナーが有るタイプの洋服を他者の手助け無しでは着脱出来なかった人でも自力での洋服着脱が可能に成る。
【考案の実施するための最良の形態】
【０００７】本考案は主に背中部分にファスナーが装備された洋服の着脱時ファスナーの開閉に使用する。洋服着用時には、洋服を身に着ける前の時点で補助紐をファスナー開閉用つまみに連結しておき洋服を完全に着用し終わるまで本考案の補助紐とファスナーの連結を解除しない。
同じ洋服を脱ぐ場合は洋服を脱ごうとする最初の段階でファスナー開閉用つまみに補助紐を連結しておく。この補助紐は洋服を完全に脱ぎ終わり、洋服が身を離れるまでファスナー開閉つまみから外さない。
以上の要領で本考案の補助紐を使用する事により、身体的に柔軟性を欠いた人や、その他の身体的問題を抱えた人でも比較的容易に背中にファスナーが有るタイプの洋服を着脱できる。
【実施例】
【０００８】以下、添付図面に従って一実施例を説明する。１は本考案の補助紐を利用して洋服のファスナーを開閉する時に補助紐の位置を容易に確認して引っ張る為の引っ張り部材である。
２は紐本体、３はファスナー開閉用つまみと補助紐を連結する為の部材の接続部分４は本考案の紐使用時に洋服側のファスナーと紐を連結使用する為の部材。
洋服を着用する場合は着用前の段階で洋服背中部分に装着されたファスナーの取っ手に３の連結用部材を利用して本考案の補助紐を連結する。この際、洋服のファスナーは完全に開ききった状態でなければならない。
洋服に身を通した後は１の握りを利用してファスナーが閉まり切るまで補助紐を引っ張る。
最後にファスナー開閉つまみと３の補助紐連結用部材との連結を解除して着用を終わる。
洋服を脱ぐ場合は、以上の作業を逆順で行う事で、容易に脱ぐ事ができる。
【図面の簡単な説明】
【０００９】
【図１】      本考案の正面から見た全体図である。
【図２】      本考案の参考使用図である
【符号の説明】
【００１０】  １  補助紐引っ張り用握り
２  補助紐本体
３  ファスナー開閉用つまみと補助紐を連結する為の部材
４  ファスナー開閉用つまみと補助紐の連結位置
５  洋服着脱用のファスナー
６  本考案の補助紐使用者の後姿
【図１】
0003110917.tif 000003
【図２】
0003110917.tif 000004